(57)【要約】【課題】  米を排米口から排米した後に排米弁により排米口を閉じる際に、排米弁上に米が付着して排米口と排米弁との間に噛み込まないようにする。【解決手段】  排米用昇降手段５０により弁棒２７を昇降させて、弁棒２７の下降により排米口を開いて洗米槽から洗米した米を排米すると共に、弁棒２７の上昇により排米弁で排米口を閉じるようにした洗米装置であって、前記排米用昇降手段５０により、弁棒２７を下降させて排米口から排米した後弁棒２７を上昇させて排米弁で排米口を閉じるまでの間に、排米弁上に載った米を振り落とすべく弁棒２７を昇降動作させる第２昇降手段５８が設けられている。【選択図】図４
2011010723.tif 000002
【特許請求の範囲】
【請求項１】
洗米槽（４）の下端部に排米口（２５）が設けられ、排米口（２５）から出退移動するように上下移動自在に保持された弁棒（２７）が洗米槽（４）内に配置され、弁棒（２７）の下端部に排米口（２５）を下側から開閉する排米弁（２６）が設けられ、弁棒（２７）を昇降させる排米用昇降手段（５０）が設けられ、排米用昇降手段（５０）により弁棒（２７）を昇降させて、弁棒（２７）の下降により排米口（２５）を開いて洗米槽（４）から洗米した米を排米すると共に、弁棒（２７）の上昇により排米弁（２６）で排米口（２５）を閉じるようにした洗米装置であって、
前記排米用昇降手段（５０）により、弁棒（２７）を下降させて排米口（２５）から排米した後弁棒（２７）を上昇させて排米弁（２６）で排米口（２５）を閉じるまでの間に、排米弁（２６）上に載った米を振り落とすべく弁棒（２７）を昇降動作させる第２昇降手段（５８）が設けられていることを特徴とする洗米装置。
【請求項２】
前記排米用昇降手段（５０）は、一端側に弁棒（２７）が連結され中途部が支軸（５２）廻りに上下揺動自在に支持された昇降アーム（５３）と、回転駆動されかつ昇降アーム（５３）の他端側に上側から接当押圧して昇降アーム（５３）を支軸（５２）廻りに昇降させる排米用カム（５５）とを備え、前記第２昇降手段（５８）は、回転駆動されかつ前記排米用カム（５５）が昇降アーム（５３）の他端側から外れた間に、昇降アーム（５３）の他端側に押圧接当して昇降アーム（５３）を昇降させる第２カム（５９）を備えていることを特徴とする請求項１に記載の洗米装置。
【請求項３】
前記排米用カム（５５）の回転軸（４９）と第２カム（５９）の回転軸（４９）とは同一の回転軸（４９）とされ、同一の回転軸（４９）に対して周方向に互いにずれた位置に排米用カム（５５）と第２カム（５９）とが突設され、第２カム（５９）の先端（５９ａ）の回転軸（４９）廻りの回転径が排米用カム（５５）の先端（５５ａ）の回転軸（４９）廻りの回転径よりも小さく設定されていることを特徴とする請求項２に記載の洗米装置。
【請求項４】
前記排米用昇降手段（５０）により、弁棒（２７）を下降させて排米口（２５）から排米した後弁棒（２７）を上昇させて排米弁（２６）で排米口（２５）を完全に閉じる前に、前記第２昇降手段（５８）で、弁棒（２７）を１回又は複数回昇降動作させるように構成されていることを特徴とする請求項１〜３のいずれかに１項に記載の洗米装置。
【発明の詳細な説明】
【技術分野】
【０００１】
本発明は、洗米装置に関するものである。
【背景技術】
【０００２】
従来の洗米装置には、洗米槽の下端部に排米口が設けられ、排米口から出退移動するように上下移動自在に保持された弁棒が洗米槽内に配置され、弁棒の下端部に排米口を下側から開閉する排米弁が設けられ、弁棒を昇降させる排米用昇降手段が設けられ、排米用昇降手段により弁棒を昇降させて、弁棒の下降により排米口を開いて洗米槽から洗米した米を排米すると共に、弁棒の上昇により排米弁で排米口を閉じるようにしたものがある（例えば特許文献１、２）。
【先行技術文献】
【特許文献】
【０００３】
【特許文献１】特開平１０−１１７９２７号公報
【特許文献２】特開平１０−１９２１３７号公報
【発明の概要】
【発明が解決しようとする課題】
【０００４】
従って、従来では、排米用昇降手段により弁棒を下降させて、排米口を開いて洗米槽から洗米した米を排米する際に、排米弁上に米が落下して付着し、その後の弁棒の上昇によって排米弁により排米口を閉じる際に、排米弁上の米が排米口と排米弁との間に噛み込み、排米口から水漏れを生ずるという問題があった。
本発明は上記問題点に鑑み、排米した後に排米弁で排米口を閉じる際に、排米弁上に付着した米が排米口と排米弁との間に噛み込まないようにしたものである。
【課題を解決するための手段】
【０００５】
この技術的課題を解決する本発明の技術的手段は、洗米槽の下端部に排米口が設けられ、排米口から出退移動するように上下移動自在に保持された弁棒が洗米槽内に配置され、弁棒の下端部に排米口を下側から開閉する排米弁が設けられ、弁棒を昇降させる排米用昇降手段が設けられ、排米用昇降手段により弁棒を昇降させて、弁棒の下降により排米口を開いて洗米槽から洗米した米を排米すると共に、弁棒の上昇により排米弁で排米口を閉じるようにした洗米装置であって、
前記排米用昇降手段により、弁棒を下降させて排米口から排米した後弁棒を上昇させて排米弁で排米口を閉じるまでの間に、排米弁上に載った米を振り落とすべく弁棒を昇降動作させる第２昇降手段が設けられている点にある。
【０００６】
また、本発明の他の技術的手段は、前記排米用昇降手段は、一端側に弁棒が連結され中途部が支軸廻りに上下揺動自在に支持された昇降アームと、回転駆動されかつ昇降アームの他端側に上側から接当押圧して昇降アームを支軸廻りに昇降させる排米用カムとを備え、前記第２昇降手段は、回転駆動されかつ前記排米用カムが昇降アームの他端側から外れた間に、昇降アームの他端側に押圧接当して昇降アームを昇降させる第２カムを備えている点にある。
また、本発明の他の技術的手段は、前記排米用カムの回転軸と第２カムの回転軸とは同一の回転軸とされ、同一の回転軸に対して周方向に互いにずれた位置に排米用カムと第２カムとが突設され、第２カムの先端の回転軸廻りの回転径が排米用カムの先端の回転軸廻りの回転径よりも小さく設定されている点にある。
【０００７】
また、本発明の他の技術的手段は、前記排米用昇降手段により、弁棒を下降させて排米口から排米した後弁棒を上昇させて排米弁で排米口を完全に閉じる前に、前記第２昇降手段で、弁棒を１回又は複数回昇降動作させるように構成されている点にある。
【発明の効果】
【０００８】
本発明によれば、弁棒を下降させて排米口から排米した後弁棒を上昇させて排米弁で排米口を閉じるまでの間に、第２昇降手段により排米弁上に載った米を振り落とすべく弁棒を昇降動作させるので、米を排米口から排米した後に排米弁により排米口を閉じる際に、排米弁上に米が付着して排米口と排米弁との間に噛み込むのを防止できる。
【図面の簡単な説明】
【０００９】
【図１】本発明の一実施形態を示す自動炊飯機の正面図である。
【図２】同図１のＡ−Ａ線断面図である。
【図３】同洗米装置部分の平面図である。
【図４】同図３のＢ−Ｂ線断面図である。
【図５】同作用説明用の洗米装置部分の断面図である。
【図６】他の実施形態を示す排米用昇降手段部分の断面図である。
【発明を実施するための形態】
【００１０】
以下、図面に基づいて本発明の実施の形態を説明する。
図１及び図２は米の計量から炊飯までをマイコン制御により自動的に行う業務用（又は家庭用であってもよい）全自動炊飯機１の概略全体構成図を示す。
図１及び図２において、自動炊飯機１のメインフレーム２の上部には、貯米庫３が固定され、貯米庫３の下方に洗米装置９設けられ、洗米装置９の洗米槽４が貯米庫３の下面に取付固定されている。この洗米槽４の下方には、炊飯器５が配置可能なスペースが設けられ、メインフレーム２の下端側には炊飯器５が載置されると共に、前方に引出し自在とされた載置台６が設けられている。
【００１１】
メインフレーム２は、下端部の平面視矩形状のベース部材７の後端側の左右両側に支柱部材８を立設して主構成されている。
貯米庫３は箱形のケース１０を備え、ケース１０内の上部には米を貯留する貯米タンク１１が固定され、この貯米タンク１１の上端開口は米を投入するための投入口とされている。貯米タンク１１の下端側には、貯米タンク１１内の米を所望量計量して下方に排出する計量機１２が設けられている。
ケース１０の上部は、蓋体１３により開閉自在とされていて、この蓋体１３を開いて貯米タンク１１内に米を補給可能となっている。ケース１０の前面には、各種設定を行う表示装置が設けられている。
【００１２】
洗米装置９の洗米槽４は上部が円筒状で下部が漏斗状に形成されて上下に開口状とされており、槽支持体１４を介してケース１０下壁に取付けられている。
槽支持体１４は、貯米庫３のケース１０下壁を貫通する上下開口状の円筒状筒部１４ａと、この筒部１４ａの上端開口を閉塞する蓋部１４ｂとから構成され、蓋部１４ｂがケース１０下壁上面に取付固定されている。洗米槽４を筒部１４ａの下部に下方から外嵌し、洗米槽４を筒部１４ａに複数の固定具１６によって固定することによって、洗米槽４が筒部１４ａに下方側に取外し可能に取付けられている。
【００１３】
洗米槽４内には、図３及び図４に示すように、槽内の米を攪拌するための攪拌棒１７等からなる攪拌部材が設けられており、この攪拌棒１７は、槽支持体１４の蓋部１４ｂに設けられた支持筒１８に上下方向の軸心廻りに回転自在に支持されると共に、ケース１０内下部に設けられたモータ２２によりギア２３，２４を介して回転駆動される筒状回転軸１９に固定されている。
図２に示すように、洗米槽４の下端部には下端開口からの水を排水するための排水ジャケット２０が設けられている。この排水ジャケット２０は筒状に形成され、上下開口状とされており、洗米槽４の下端側に下方から係合し、排水ジャケット２０から米の研ぎ汁を小さな不純物と共に排水できるようになっている。
【００１４】
排水ジャケット２０の下端開口は排米口２５とされて、排米口２５が洗米槽４の下端部に設けられている。回転軸１９に弁棒２７が挿通され、弁棒２７は洗米槽４内に上下方向に配置され、排米口２５から出退移動するように上下移動自在に保持されている。弁棒２７の下端部に排米口２５を下側から開閉する円錐状の排米弁２６が取り付けられている。
図３及び図４に示すように、ケース１０内下部に弁棒２７を昇降させる排米用昇降手段５０が設けられている。排米用昇降手段５０により弁棒２７を昇降させて、弁棒２７の下降により排米口２５を開いて洗米槽４から洗米した米を炊飯器５に排米すると共に、弁棒２７の上昇により排米弁２６で排米口２５を閉じるように構成されている。
【００１５】
ケース１０内下部に、前記排米用昇降手段５０により弁棒２７を下降させて排米口２５から排米した後に弁棒２７を上昇させて排米弁２６で排米口２５を閉じるまでの間に、排米弁２６上に載った排米を振り落とすべく弁棒２７を昇降動作させる第２昇降手段５８が設けられている。
前記排米用昇降手段５０は、一端側に弁棒２７が連結され中途部が支軸５２廻りに上下揺動自在に支持された昇降アーム５３と、モータ５４により回転軸４９廻りに回転駆動されかつ昇降アーム５３の他端側に上側から接当押圧して昇降アーム５３を支軸５２廻りに昇降させる排米用カム５５とを備える。支軸５２は槽支持体１４の蓋部１４ｂ上に立設され支持部材５１に支持され、モータ５４は蓋部１４ｂ上に取付けられ、排米用カム５５を回転軸４９廻りに図４に示す矢印Ｂ方向に回転駆動する。
【００１６】
前記第２昇降手段５８は、排米用昇降手段５０と共通の昇降アーム５３を備えると共に、モータ５４により回転軸４９廻りに回転駆動される第２カム５９を備え、第２カム５９は前記排米用カム５５が昇降アーム５３の他端側から外れた間に、昇降アーム５３の他端側に押圧接当して昇降させるように構成されている。
昇降アーム５３は左右一対の側板５３ａと側板５３ａの下端同士を連結する底板５３ｂとをコの字状に有している。
昇降アーム５３の一端側の底板５３ｂは湾曲状に折り曲げられると共に、折り曲げ部分の内側に軸部材５６が設けられ、この軸部材５６は昇降アーム５３に固定された押え部材５７と昇降アーム５３の一端側とによって回動自在で且つ昇降アーム５３長手方向に移動自在に挟持されている。
【００１７】
一方、弁棒２７の上部は径小に形成されていて、昇降アーム５３の一端側、軸部材５６及び押え部材５７を貫通して上方突出状とされている。
また、弁棒２７の上部にはネジ部６０が形成されており、このネジ部６０はホルダ６１を貫通すると共に該ホルダ６１に保持された一対のナット６２に螺合されている。ホルダ６１と軸部材５６との間にはバネ（圧縮コイルバネ）６３が圧縮状に介在されている。
また、昇降アーム５３と槽支持体１４の蓋部１４ｂとの間には、昇降アーム５３の一端側を引き下げるように付勢するバネ（引張りコイルバネ）６４が介在されている。
【００１８】
したがって、排米用カム５５がＢ方向に回動されると、該排米用カム５５により昇降アーム５３の他端側が押し下げられることによって、昇降アーム５３の一端側が徐々に上昇し、軸部材５６，バネ６３，ホルダ６１及びナット６２を介して弁棒２７及び排米弁２６が引き上げられて排米口２５が閉塞される。そして、弁棒２７が引き上げられた状態から排米用カム５５をさらにＢ方向に回動させ、該排米用カム５５が昇降アーム５３の他端側から外れると、バネ６４の付勢力によって昇降アーム５３の一端側が一挙に下降し、軸部材５６を介して弁棒２７及び排米弁２６が押し下げられて排米口２５が開放される。
【００１９】
また、排米用昇降手段５０には、弁棒２７を引き下げたときに、下から弁棒２７を突き上げても、昇降アーム５３の他端側が下降しないように規制する規制部材６５が設けられている。これは、排米弁２６を着脱する際には、弁棒２７を引き下げた状態で行われるが、排米弁２６を取付ける場合に、弁棒２７が上方に動いてしまうと、排米弁２６を取付けることができないからである。
規制部材６５の一端部は、支持部材５１に横方向の軸心廻りに回動自在に支持された支軸６６に、昇降アーム５３の下方側で支持されている。昇降アーム５３の底板５３ｂの他端側に長孔６７が設けられ、規制部材６５の中途部が昇降アーム５３の長孔６７に上下に挿通されている。
【００２０】
規制部材６５のコの字状の切欠きが設けられることにより、規制部材６５の上端側には排米用カム５５に接当する接当部６５ａが形成されと共に、規制部材６５の中途部に係合段部６５ｂが形成され、図４に鎖線で示す如く係合段部６５ｂが底板５３ｂの長孔６７の他端側開口縁部に下側から係合することにより、規制部材６５が昇降アーム５３の他端側が下降しないように規制する。
規制部材６５の下端側にはバネ（引張りコイルバネ）６８の一端が掛止され、このバネ６８の他端部は槽支持体１４の蓋部１４ｂ上に固定の掛止部材６９に掛止されていて、規制部材６５が、図４の実線で示す位置から鎖線で示す位置に揺動するように付勢されている。
【００２１】
したがって、弁棒２７を引き下げたときにあっては、規制部材６５は図４の鎖線で示す位置に在り、係合段部６５ｂが底板５３ｂの長孔６７の他端側開口縁部に下側から係合し、これによって昇降アーム５３の他端側の下降が規制される。また、弁棒２７を引き下げるときには、昇降アーム５３よりも先に規制部材６５の接当部６５ａが排米用カム５５に接当して該規制部材６５が図４の矢示Ｃ方向に押動されて、規制部材６５が傾いて昇降アーム５３の支軸５２廻りの揺動を許容する。
排米用カム５５の回転軸４９と第２カム５９の回転軸４９とは同一の回転軸とされ、回転軸４９に対して周方向に互いにずれた位置に排米用カム５５と第２カム５９とが支持筒体７３を介して突設されている。支持筒体７３は回転軸４９に嵌合固着され、支持筒体７３に排米用カム５５と第２カム５９とが突設されていて、排米用カム５５と第２カム５９とは回転軸４９の軸方向に互いに離間して配置され、排米用カム５５は昇降アーム５３の底板５３ｂの幅方向一端側に対応し、第２カム５９は昇降アーム５３の底板５３ｂの幅方向他端側に対応しており、底板５３ｂの他端側の排米用カム接当部分Ｈ１と第２カム接当部分Ｈ２とは底板５３ｂの幅方向に離間した位置に設けられている。
【００２２】
そして、底板５３ｂの他端側を斜めに切り欠くことにより第２カム接当部分Ｈ２の他端側端部は、底板５３ｂの排米用カム接当部分Ｈ１の他端側端部よりも支軸５２側に位置するように設定されている。また、排米用カム５５は半円柱状に形成され、第２カム５９は排米用カム５５よりも小さい柱状に形成され、第２カム５９の先端（突出端）５９ａの回転軸４９廻りの回転径は、排米用カム５５の先端（突出端）５５ａの回転軸４９廻りの回転径よりも小さく設定されている。これらにより、図５に鎖線で示す如く第２カム５９の押圧による昇降アーム５３の他端側の下降位置が排米用カム５５の押圧による昇降アーム５３の他端側の下降位置よりも高くなり、第２カム５９による弁棒２７の上昇位置が排米用カム５５による弁棒２７の上昇位置よりも低くなるように構成されている。即ち、排米用昇降手段５０により、弁棒２７を下降させて排米口２５から排米した後に弁棒２７を上昇させて排米弁２６で排米口２５を完全に閉じる前に、第２昇降手段５８で、排米弁２６で排米口２５を完全には閉じない（軽く閉じる）程度に弁棒２７を１回昇降動作させるように構成されている。
【００２３】
前記実施の形態によれば、洗米装置９で洗米した後に洗米した米を炊飯器５に排米する場合、図５に実線で示す如く弁棒２７が上昇し排米弁２６で排米口２５を閉じた状態からモータ５４で回転軸４９をＢ方向に回転させる。排米用カム５５が回転軸４９廻りにＢ方向に回転することにより、排米用カム５５が昇降アーム５３の他端側から外れ、バネ６４の付勢により昇降アーム５３が支軸５２廻りに矢印Ｄ方向に揺動して、昇降アーム５３の一端側が下降して弁棒２７が急速に下降し、その結果、排米弁２６が排米口２５に対して下方に離間し、排米口２５から洗米した米が排米される（炊飯器５に供給される）。
【００２４】
排米終了後の排米用カム５５が昇降アーム５３の他端側から外れた間に、回転軸４９のＢ方向の回転により、図５に鎖線で示す如く第２カム５９が昇降アーム５３の他端側に押圧接当して弁棒２７を徐々に上昇させる。その後、排米弁２６で排米口２５を閉じる前に、第２カム５９が昇降アーム５３の他端側から外れることにより、図５に鎖線で示す状態からバネ６４の付勢により昇降アーム５３が支軸５２廻りに矢印Ｄ方向に揺動して、昇降アーム５３の一端側が下降して弁棒２７が急速に下降し、この弁棒２７乃至排米弁２６の下降の際の衝撃によって、排米弁２６上に付着した米が振り落とされる。その後、回転軸４９のＢ方向の回転により、排米用カム５５が昇降アーム５３の他端側に押圧接当して弁棒２７を徐々に上昇させ、図４及び図５に実線で示す如く排米弁２６で排米口２５を閉じた状態に戻り、回転軸４９の回転が停止して洗米装置９が洗米可能な状態になる。
【００２５】
従って、排米口２５を開いて洗米槽４から洗米した米を排米する際に、排米弁２６上に洗米した米が落下して付着しても、排米弁２６で排米口２５を完全に閉じる前に、第２昇降手段５８で弁棒２７を昇降しその際の衝撃により、排米弁２６上に付着した米を振り落とすことができ、排米弁２６上に付着した米が排米口２５と排米弁２６との間に噛み込むのを防止でき、排米口２５からの水漏れ等を防ぐことができる。
図６は他の実施形態を示し、第２昇降手段５８の第２カム５９を回転軸４９の周方向にずらして２つ設け、これにより、排米した後に排米弁２６で排米口２５を完全に閉じる前に、第２昇降手段５８で、弁棒２７を２回昇降動作させるようにしたものである。その他の点は前記実施形態の場合と同様の構成である。
【００２６】
なお、前記実施の形態では、排米弁２６上に載った排米を振り落とすべく弁棒２７を昇降動作させる第２昇降手段５８として、排米用昇降手段５０の排米用カム５５とは別体に設けた第２カム５９を利用しているが、第２昇降手段５８の構成はこのようなものに限定されず、例えば、排米用昇降手段５０の排米用カム５５を、弁棒２７を複数回昇降させるように複雑な形状をすることによって、第２昇降手段５８の一部を排米用カム５５で兼用させるようにしてもよい。
また、前記実施の形態では、排米した後に排米弁２６で排米口２５を完全に閉じる前に、第２昇降手段５８により、１回又は２回弁棒２７を昇降動作させるようにしているが、これに代え、第２昇降手段５８で３回以上弁棒２７を昇降動作させるようにしてもよいことは勿論である。
【００２７】
また、前記実施の形態では、排米用カム５５の回転軸４９と第２カム５９の回転軸４９とは同一の回転軸とされ、回転軸４９に対して周方向に互いにずれた位置に排米用カム５５と第２カム５９とが支持筒体７３を介して突設されているが、これに代え、排米用カム５５と第２カム５９とを別々の回転軸に突設して、これらを互いに異なる回転軸廻りに別個のモータで回転駆動するようにしてもよい。
また、前記実施の形態では、自動炊飯機１に組み込まれた洗米装置９に対して本願発明を適用実施しているが、これに代え、自動炊飯機とは別個に製造販売される単独の洗米装置に本願発明を適用実施するようにしてもよい。
【産業上の利用可能性】
【００２８】
自動炊飯機に組み込んだ洗米装置又は自動炊飯機とは別個の洗米装置に利用できる。
【符号の説明】
【００２９】
１    自動炊飯機
４    洗米槽
９    洗米装置
２６    排米弁
２５    排米口
２７    弁棒
４９    回転軸
５０    排米用昇降手段
５２    支軸
５５    排米用カム
５５ａ  先端
５８    第２昇降手段
５９    第２カム
５９ａ  先端
【図１】
2011010723.tif 000003
【図２】
2011010723.tif 000004
【図３】
2011010723.tif 000005
【図４】
2011010723.tif 000006
【図５】
2011010723.tif 000007
【図６】
2011010723.tif 000008